(57)【特許請求の範囲】
【請求項１】
室内と室外に連通するダクト内に嵌挿される筒状部と、この筒状部の室外側に設けられるベース部と、このベース部の室外側に開口部を形成したフード部とを備え、水平面に対して前記筒状部の中心線を前記室内側に向けて上方向に傾斜させ、前記筒状部の前記室内側の外側端部に、前記筒状部の前記開口部の一部を遮蔽する折返し部を設け、前記折返し部を、前記筒状部の底部に設け、前記折返し部の上部に、前記室外側に向けひさし部を設けたものであって、前記ベース部に、前記ベース部を前記筒状部と固定する固定面を前記筒状部の中心線に対して直交するよう傾斜させる絞り部を設け、前記固定面と前記絞り部とで前記筒状部と固定したことを特徴とする外壁端末換気口。
【請求項２】
筒状部の底部に、水平面に対して室内側に向けて上方向に傾斜させた溝部を設けたことを特徴とする請求項１に記載の外壁端末換気口。
【請求項３】
筒状部の下部を、水平面に対して室外側に向けて下方向に傾斜させたことを特徴とする請求項１または２に記載の外壁端末換気口。
【請求項４】
筒状部の上部に、下方に向けて突出させた側面略Ｖ字状の凸部を設けたことを特徴とする請求項１〜３のいずれかに記載の外壁端末換気口。
【請求項５】
凸部を、室外側に傾斜させたことを特徴とする請求項４記載の外壁端末換気口。
【請求項６】
筒状部に、撥水性塗料を塗装したことを特徴とする請求項１〜５のいずれかに記載の外壁端末換気口。
【請求項７】
筒状部に、親水性塗料を塗装したことを特徴とする請求項１〜５のいずれかに記載の外壁端末換気口。
【請求項８】
筒状部に、防火ダンパーを組み込んだことを特徴とする請求項１〜７のいずれかに記載の外壁端末換気口。
【発明の詳細な説明】
【技術分野】
【０００１】
室内に設けた換気装置と連通するダクトの端部に接続される形状で外壁に設けられる外壁端末換気口に関する。
【背景技術】
【０００２】
従来、この種の外壁端末換気口の一例として屋外フードが知られている（例えば、特許文献１参照）。
【０００３】
以下、その屋外フードについて図１５を参照にしながら説明する。
【０００４】
図に示すように、室内と室外を連通するダクト１０１内に嵌挿される筒部１０２を有したベース部１０３と、このベース部１０３の室外側に、下方に開口部１０４を形成するように設けられるフード部１０５と、前記ベース部１０３の下方部に、前記フード部１０５の横幅より広い形状で、外壁面１０７から遠ざかる方向に傾斜した水切板１０８とを備え、前記水切板１０８の上面１０９と前記フード部１０５の側面下端部１１０が近接するように構成している。
【特許文献１】特開２００７−２２５１６４号公報（図１）
【発明の開示】
【発明が解決しようとする課題】
【０００５】
このような従来の外壁端末換気口では、ベース部に対して垂直に筒部が構成されているため、強い風を伴ってフード部の開口部から侵入し筒部まで飛来した雨水は、筒部を通ってダクト内に移動し、ダクトを通って室内に侵入することがあった。
【０００６】
そこで、上記課題を解決するために、ダクトを室外側に向けて下るように下り勾配を設けて、屋外フードと室内側機器（図示せず）を連通させようとすると、作業において非常に手間がかかり、ダクトの勾配を維持させた状態で筒部への嵌挿や固定作業がしずらいという課題がある。
【０００７】
本発明は、このような従来の課題を解決するものであり、通気抵抗など他の性能に支障をきたすことなく室内への雨水侵入を低減させ、かつ、施工性をも向上させることができる外壁端末換気口を提供することを目的とする。
【課題を解決するための手段】
【０００８】
本発明の外壁端末換気口は、上記目的を達成するために、室内と室外に連通するダクト内に嵌挿される筒状部と、この筒状部の室外側に設けられるベース部と、このベース部の室外側に開口部を形成したフード部とを備え、前記筒状部をベース部と固定する固定面と直交する水平面に対して筒状部の中心線を室内側に向けて上方向に傾斜させるものである。
【０００９】
また、他の手段は、筒状部の室内側の外側端部に、筒状部の開口部の一部を遮蔽する折返し部を設けたものである。
【００１０】
また、他の手段は、折返し部を、筒状部の底部に設けたものである。
【００１１】
また、他の手段は、折返し部の上部に、室外側に向けひさし部を設けたものである。
【００１２】
また、他の手段は、ベース部の固定面に、筒状部の中心線に対して直交するよう傾斜させる絞り部を設けたものである。
【００１３】
また、他の手段は、筒状部を、ベース部から一体成型で設けたものである。
【００１４】
また、他の手段は、筒状部の底部に、固定面と直交する水平面に対して室内側に向けて上方向に傾斜させた溝部を設けたものである。
【００１５】
また、他の手段は、筒状部の下部を、固定面と直交する水平面に対して室外側に向けて下方向に傾斜させたものである。
【００１６】
また、他の手段は、筒状部の上部に、下方に向けて突出させた側面略Ｖ字状の凸部を設けたものである。
【００１７】
また、他の手段は、凸部を、室外側に傾斜させたものである。
【００１８】
また、他の手段は、筒状部に、撥水性塗料を塗装したものである。
【００１９】
また、他の手段は、筒状部に、親水性塗料を塗装したものである。
【００２０】
また、他の手段は、筒状部に、防火ダンパーを組み込んだものである。
【発明の効果】
【００２１】
本発明によれば、室内と室外に連通するダクト内に嵌挿される筒状部と、この筒状部の室外側に設けられるベース部と、このベース部の室外側に開口部を形成したフード部とを備え、前記筒状部をベース部と固定する固定面と直交する水平面に対して筒状部の中心線を室内側に向けて上方向に傾斜させることにより、通気抵抗など他の性能に支障をきたすことなく室内への雨水侵入を低減させ、かつ、施工性をも向上させることができるという効果のある外壁端末換気口を提供することができる。
【００２２】
また、筒状部の室内側の外側端部に、筒状部の開口部の一部を遮蔽する折返し部を設けたことにより、室内への雨水の侵入量が、更に低減できるという効果のある外壁端末換気口を提供することができる。
【００２３】
また、折返し部を、筒状部の底部に設けたことにより、室内への雨水の侵入量が、更に低減できるという効果のある外壁端末換気口を提供することができる。
【００２４】
また、折返し部の上部に、室外側に向けひさし部を設けたことにより、折返し部でせき止められなかった雨水をせき止められるので、室内への雨水の侵入量が、更に低減できるという効果のある外壁端末換気口を提供することができる。
【００２５】
また、ベース部の固定面に、筒状部の中心線に対して直交するよう傾斜させる絞り部を設けたことにより、筒状部をダクトに嵌挿固定する際の確実な気密性と水密性の確保と施工作業性を向上でき、かつ、筒状部に傾斜を設ける必要が無いので、簡素な形状で構成可能となるため、製造コストが軽減できるという効果のある外壁端末換気口を提供することができる。
【００２６】
また、筒状部を、ベース部から一体成型で設けたことにより、ベース部と筒状部を個々に製作し組立するよりも、製造コストが軽減でき、かつ、部品精度や組立作業のバラツキから生じる部品間の隙間発生が無くなるので、気密性や水密性の向上と低圧損化が向上できるという効果のある外壁端末換気口を提供することができる。
【００２７】
また、筒状部の底部に、固定面と直交する水平面に対して室内側に向けて上方向に傾斜させた溝部を設けたことにより、溝部に水が流れやすくなり結果室外へ流れやすくなるため、室内への雨水の侵入量が更に低減できるという効果のある外壁端末換気口を提供することができる。
【００２８】
また、筒状部の下部を、固定面と直交する水平面に対して室外側に向けて下方向に傾斜させたことにより、筒状部の下部のみ傾斜を設けるといった必要最小限の変更により、室内への雨水の侵入量が低減できるという効果のある外壁端末換気口を提供することができる。
【００２９】
また、筒状部の上部に、下方に向けて突出させた側面略Ｖ字状の凸部を設けたことにより、圧損抵抗増を最小限に留めて、雨水の筒状部内滞留時間を短縮しつつ、室内への雨水の侵入量が低減できるという効果のある外壁端末換気口を提供することができる。
【００３０】
また、凸部を、室外側に傾斜させたことにより、確実に筒状部の上部に飛来した雨水を室外側に導くので、室内への雨水の侵入量が低減できるという効果のある外壁端末換気口を提供することができる。
【００３１】
また、筒状部に、撥水性塗料を塗装したことにより、雨水の筒状部内滞留時間を短縮しつつ、室内への雨水の侵入量が低減できるという効果のある外壁端末換気口を提供することができる。
【００３２】
また、筒状部に、親水性塗料を塗装したことにより、筒状部に付着した雨水を確実にスムーズに室外へ流せるので、室内への雨水の侵入量が低減できるという効果のある外壁端末換気口を提供することができる。
【００３３】
また、筒状部に、防火ダンパーを組み込んだことにより、防火を防ぎつつ、室内への雨水の侵入量が低減できるという効果のある外壁端末換気口を提供することができる。
【発明を実施するための最良の形態】
【００３４】
本発明の外壁端末換気口は、室内と室外に連通するダクト内に嵌挿される筒状部と、この筒状部の室外側に設けられるベース部と、このベース部の室外側に開口部を形成したフード部とを備え、前記筒状部を前記ベース部と固定する固定面と直交する水平面に対して前記筒状部の中心線を前記室内側に向けて上方向に傾斜させることとしたものであり、強い外風を伴ってフード部に設けられた開口部から侵入し筒状部の内壁まで飛来した雨水が、筒状部の傾斜を下り侵入した逆の経路をたどって室外に流され、かつ、筒状部およびダクトの中心線の傾きのずれを最小限にすることが可能となり、ダクトに筒状部を嵌挿固定する作業性が良化できると同時に、筒状部とダクトで構成される風路が直線で形成され、流れがスムーズになるという作用を有する。
【００３５】
また、筒状部の室内側の外側端部に、前記筒状部の開口部の一部を遮蔽する折返し部を設けたこととしたものであり、筒状部に侵入した雨水は、折返し部でせき止められ室外に流されるという作用を有する。
【００３６】
また、折返し部を、筒状部の底部に設けたこととしたものであり、筒状部に侵入した雨水は、筒状部の室内側に向けて飛来する過程で自重により底部に集約されていくため、折返し部で効率良くせき止められて室外に流されるという作用を有する。
【００３７】
また、折返し部の上部に、室外側に向けひさし部を設けたこととしたものであり、筒状部に侵入した雨水は、折返し部でせき止められ、更に上部に上がった雨水をひさし部でせき止めて室外に流されるという作用を有する。
【００３８】
また、ベース部の固定面に、筒状部の中心線に対して直交するよう傾斜させる絞り部を設けたこととしたものであり、ダクトの室外側端部にコーキング剤を塗布して筒状部またはベース部の室内側に嵌挿固定する際のコーキング剤の充填塗布量を下部のみ多くするなどの配慮をする必要が無く、また、筒状部に傾斜を設ける必要が無く、簡素な形状で構成可能となるという作用を有する。
【００３９】
また、筒状部を、ベース部から一体成型で設けたこととしたものであり、一体成型により製造コストが軽減でき、かつ、部品精度や組立作業のばらつきから生じる部品間の隙間発生が無くなるという作用を有する。
【００４０】
また、筒状部の底部に、固定面と直交する水平面に対して室内側に向けて上方向に傾斜させた溝部を設けたこととしたものであり、筒状部の内壁まで飛来した雨水が効率良く溝部に集約され、傾斜を下り室外に流れるという作用を有する。
【００４１】
また、筒状部の下部を、固定面と直交する水平面に対して室外側に向けて下方向に傾斜させたこととしたものであり、筒状部の内壁まで飛来した雨水が効率良く下部に集約され、傾斜を下り室外に流れるという作用を有する。
【００４２】
また、筒状部の上部に、下方に向けて突出させた側面略Ｖ字状の凸部を設けたこととしたものであり、凸部が風路に対して傾斜しているので、筒状部内の圧損抵抗増を最小限にできるとともに、上部に飛来した雨水が凸部に衝突、または、付近に付着した雨水が滞留時間を最小限にして凸部に集約され、大きな雨粒となって底部へと落下し、傾斜を下って室外に流れるという作用を有する。
【００４３】
また、凸部を、室外側に傾斜させたこととしたものであり、筒状部の上部に飛来した雨水が凸部に衝突、または、付近に付着した雨水は室外側に向かって底部へと落下し、傾斜を下って室外に流れるという作用を有する。
【００４４】
また、筒状部に、撥水性塗料を塗装したこととしたものであり、筒状部の内壁まで飛来した雨水が、弾かれて筒状部に設けられた傾斜を下って室外に流れるという作用を有する。
【００４５】
また、筒状部に、親水性塗料を塗装したこととしたものであり、筒状部の内壁まで飛来した雨水が、筒状部の内壁に親水され、傾斜を下って室外に流れるという作用を有する。
【００４６】
また、筒状部に、防火ダンパーを組み込んだこととしたものであり、筒状部の内部まで飛来した雨水の多くが、防火ダンパーに衝突し筒状部の底部へと流れ落ち、傾斜を下って室外に流れるという作用を有する。
【００４７】
以下、本発明の実施の形態について、図面を参照しながら説明する。
【００４８】
（実施の形態１）
図１に示すように、室内と室外に連通するダクト１内に嵌挿される筒状部２と、この筒状部２の室外側に設けられるベース部３と、このベース部３の室外側に開口部４を形成したフード部５とを備え、前記筒状部２をベース部３と固定する固定面６と直交する水平面に対して筒状部２の中心線７を室内側に向けて上方向にＸ°傾斜させる構成とする。
【００４９】
上記構成により、室内に設けられた換気装置（図示せず）とダクト１を介して接続され給排気利用される外壁端末換気口において、強い外風を伴ってフード部５に設けられた開口部４から侵入し筒状部２の内壁８まで飛来した雨水９が、筒状部２の傾斜を下り侵入した逆の経路をたどって室外に流され、かつ、筒状部２およびダクト１の中心線７の傾きのズレを最小限にすることが可能となり、ダクト１に筒状部２を嵌挿固定する作業性が良化できると同時に、筒状部２とダクト１で構成される風路が直線で形成され、流れがスムーズになる。
【００５０】
このように本発明の実施の形態１の外壁端末換気口によれば、通気抵抗など他の性能に支障をきたすことなく室内への雨水侵入を低減させ、かつ、施工性をも向上させることができることとなる。
【００５１】
（実施の形態２）
図２において、実施の形態１と異なるところは、筒状部２Ａの室内側の外側端部１０に、筒状部２Ａの開口部の一部を遮蔽する折返し部１１を設けた点である。
【００５２】
上記構成により、筒状部２Ａに侵入した雨水９は、折返し部１１でせき止められ室外に流される。
【００５３】
このように本発明の実施の形態２の外壁端末換気口によれば、室内への雨水９Ａの侵入量が、更に低減できることとなる。
【００５４】
（実施の形態３）
図３において、実施の形態１と異なるところは、折返し部１１Ａを、筒状部２Ｂの底部１２に設けた点である。
【００５５】
上記構成により、筒状部２Ｂに侵入した雨水９は、筒状部２Ｂの室内側に向けて飛来する過程で自重により底部１２に集約されていくため、折返し部１１Ａで効率良くせき止められて室外に流される。
【００５６】
このように本発明の実施の形態３の外壁端末換気口によれば、室内への雨水９の侵入量が、更に低減できることとなる。
【００５７】
（実施の形態４）
図４において、実施の形態２と異なるところは、折返し部１１Ｂの上部に、室外側に向けひさし部１３を設けた点である。
【００５８】
上記構成により、筒状部２Ｃに侵入した雨水９は、折返し部１１Ｂでせき止められ、更に上部に上がった雨水９をひさし部１３でせき止めて室外に流される。
【００５９】
このように本発明の実施の形態４の外壁端末換気口によれば、折返し部１１Ｂでせき止められなかった雨水９をせき止められるので、室内への雨水９の侵入量が、更に低減できることとなる。
【００６０】
（実施の形態５）
図５において、実施の形態３と異なるところは、ベース部３Ａの固定面６Ａに、筒状部２Ｄの中心線７Ａに対して直交するよう傾斜させる絞り部１４を設けた点である。
【００６１】
上記構成により、ダクト１の室外側端部１５にコーキング剤１６を塗布して筒状部２Ｄまたはベース部３Ａの室内側に嵌挿固定する際のコーキング剤１６の充填塗布量を下部のみ多くするなどの配慮をする必要が無く、また、筒状部２Ｄに傾斜を設ける必要が無く、簡素な形状で構成可能となる。
【００６２】
このように本発明の実施の形態５の外壁端末換気口によれば、筒状部２Ｄをダクト１に嵌挿固定する際の確実な気密性と水密性の確保と施工作業性を向上でき、かつ、筒状部２Ｄに傾斜を設ける必要が無いので、簡素な形状で構成可能となるため、製造コストが軽減できることとなる。
【００６３】
（実施の形態６）
図６において、実施の形態５と異なるところは、筒状部２Ｅを、ベース部３Ｂから一体成型で設けた点である。
【００６４】
上記構成により、一体成型により製造コストが軽減でき、かつ、部品精度や組立作業のばらつきから生じる部品間の隙間発生が無くなる。
【００６５】
このように本発明の実施の形態６の外壁端末換気口によれば、ベース部３Ｂと筒状部２Ｅを個々に製作し組立するよりも、製造コストが軽減でき、かつ、部品精度や組立作業のばらつきから生じる部品間の隙間発生が無くなるので、気密性や水密性の向上と低圧損化が向上できることとなる。
【００６６】
（実施の形態７）
図７および図８において、実施の形態５と異なるところは、筒状部２Ｆの底部１２Ａに、固定面６と直交する水平面に対して室内側に向けて上方向に傾斜させた溝部１７を設けた点である。
【００６７】
上記構成により、筒状部２Ｆの内壁８Ａまで飛来した雨水９が効率良く溝部１７に集約され、傾斜を下り室外に滴下する。
【００６８】
このように本発明の実施の形態７の外壁端末換気口によれば、溝部１７に水が流れやすくなり結果室外へ流れやすくなるため、室内への雨水９の侵入量が更に低減できることとなる。
【００６９】
（実施の形態８）
図９において、実施の形態７と異なるところは、筒状部２Ｇの下部１８を、固定面６と直交する水平面に対して室内側に向けて下方向に傾斜させた点である。
【００７０】
上記構成により、筒状部２Ｇの内壁８Ｂまで飛来した雨水９が効率良く下部１８に集約され、傾斜を下り室外に滴下する。
【００７１】
このように本発明の実施の形態８の外壁端末換気口によれば、筒状部２Ｇの下部１８のみ傾斜を設けるといった必要最小限の変更により、室内への雨水９の侵入量が更に低減できることとなる。
【００７２】
（実施の形態９）
図１０において、実施の形態６と異なるところは、筒状部２Ｈの上部に、下方に向けて突出させた側面略Ｖ字状の凸部１９を設けた点である。
【００７３】
上記構成により、凸部１９が風路に対して傾斜しているので、筒状部２Ｈ内の圧損抵抗増を最小限にできるとともに、上部に飛来した雨水９が凸部１９に衝突、または、付近に付着した雨水９が滞留時間を最小限にして凸部１９に集約され大きな雨粒となって底部１２へと落下し傾斜を下って室外に流れる。
【００７４】
このように本発明の実施の形態９の外壁端末換気口によれば、圧損抵抗増を最小限に留めて、雨水９の筒状部２Ｈ内滞留時間を短縮しつつ、室内への雨水９の侵入量が低減できることとなる。
【００７５】
（実施の形態１０）
図１１において、実施の形態６、９と異なるところは、凸部１９Ａを、室外側に傾斜させた点である。
【００７６】
上記構成により、筒状部２Ｉの上部に飛来した雨水９が凸部１９Ａに衝突、または、付近に付着した雨水９は室外側に向かって底部１２へと落下し、傾斜を下って室外に流れる。
【００７７】
このように本発明の実施の形態１０の外壁端末換気口によれば、確実に筒状部２Ｉの上部に飛来した雨水９を室外側に導くので、室内への雨水９の侵入量が低減できることとなる。
【００７８】
（実施の形態１１）
図１２において、実施の形態１と異なるところは、筒状部２Ｊに、撥水性塗料２０を塗装した点である。
【００７９】
上記構成により、筒状部２Ｊの内壁８Ｃまで飛来した雨水９が、弾かれて筒状部２Ｊに設けられた傾斜を下って室外に流れる。
【００８０】
このように本発明の実施の形態１１の外壁端末換気口によれば、雨水９の筒状部２Ｊ内滞留時間を短縮しつつ、室内への雨水９の侵入量が低減できることとなる。
【００８１】
（実施の形態１２）
図１３において、実施の形態１と異なるところは、筒状部２Ｋに、親水性塗料２１を塗装した構成とする。
【００８２】
上記構成により、筒状部２Ｋの内壁８Ｄまで飛来した雨水９が、筒状部２Ｋの内壁８Ｄに親水され、傾斜を下って室外に流れる。
【００８３】
このように本発明の実施の形態１２の外壁端末換気口によれば、筒状部２Ｋに付着した雨水９を確実にスムーズに室外へ流せるので、室内への雨水９の侵入量が低減できることとなる。
【００８４】
（実施の形態１３）
図１４において、実施の形態１と異なるところは、筒状部２Ｌに、防火ダンパー２２を組み込んだ点である。
【００８５】
上記構成により、筒状部２Ｌの内部まで飛来した雨水９の多くが、防火ダンパー２２に衝突し筒状部２Ｌの底部１２へと流れ落ち、傾斜を下って室外に流れる。
【００８６】
このように本発明の実施の形態１３の外壁端末換気口によれば、防火を防ぎつつ、室内への雨水９の侵入量が低減できることとなる。
【産業上の利用可能性】
【００８７】
本発明に係る外壁端末換気口における筒状部の構成は、通気抵抗など他の性能に支障をきたすことなく室内への雨水侵入を低減させ、かつ、施工性をも向上させることができるという効果のある構成によって、換気装置、送風機、空気調和機、熱交換気扇等に取付けられるフードにも適用できる。
【図面の簡単な説明】
【００８８】
【図１】本発明の実施の形態１の外壁端末換気口の設置状態を示す断面図
【図２】本発明の実施の形態２の外壁端末換気口の設置状態を示す断面図
【図３】本発明の実施の形態３の外壁端末換気口の設置状態を示す断面図
【図４】本発明の実施の形態４の外壁端末換気口の設置状態を示す断面図
【図５】本発明の実施の形態５の外壁端末換気口の設置状態を示す断面図
【図６】本発明の実施の形態６の外壁端末換気口の設置状態を示す断面図
【図７】本発明の実施の形態７の外壁端末換気口の設置状態を示す断面図
【図８】同外壁端末換気口の筒状部の斜視図
【図９】本発明の実施の形態８の外壁端末換気口の設置状態を示す断面図
【図１０】本発明の実施の形態９の外壁端末換気口の設置状態を示す断面図
【図１１】本発明の実施の形態１０の外壁端末換気口の設置状態を示す断面図
【図１２】本発明の実施の形態１１の外壁端末換気口の設置状態を示す断面図
【図１３】本発明の実施の形態１２の外壁端末換気口の設置状態を示す断面図
【図１４】本発明の実施の形態１３の外壁端末換気口の設置状態を示す断面図
【図１５】従来の屋外フードの設置状態を示す断面図
【符号の説明】
【００８９】
１      ダクト
２      筒状部
２Ａ    筒状部
２Ｂ    筒状部
２Ｃ    筒状部
２Ｄ    筒状部
２Ｅ    筒状部
２Ｆ    筒状部
２Ｇ    筒状部
２Ｈ    筒状部
２Ｉ    筒状部
２Ｊ    筒状部
２Ｋ    筒状部
２Ｌ    筒状部
３      ベース部
３Ａ    ベース部
３Ｂ    ベース部
４      開口部
５      フード部
６      固定面
６Ａ    固定面
７      中心線
７Ａ    中心線
１０    外側端部
１１    折返し部
１１Ａ  折返し部
１１Ｂ  折返し部
１２    底部
１２Ａ  底部
１３    ひさし部
１４    絞り部
１７    溝部
１８    下部
１９    凸部
１９Ａ  凸部
２０    撥水性塗料
２１    親水性塗料
２２    防火ダンパー
【図１】
0005292866.tif 000002
【図２】
0005292866.tif 000003
【図３】
0005292866.tif 000004
【図４】
0005292866.tif 000005
【図５】
0005292866.tif 000006
【図６】
0005292866.tif 000007
【図７】
0005292866.tif 000008
【図８】
0005292866.tif 000009
【図９】
0005292866.tif 000010
【図１０】
0005292866.tif 000011
【図１１】
0005292866.tif 000012
【図１２】
0005292866.tif 000013
【図１３】
0005292866.tif 000014
【図１４】
0005292866.tif 000015
【図１５】
0005292866.tif 000016